【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
光学透明デュアル硬化接着剤組成物であって、該接着剤組成物の全重量に基づいて：
１０〜９０重量％の、(メタ)アクリルオキシ基またはビニル基を有する光硬化性オリゴマーまたはポリマー；
５〜５５重量％の(メタ)アクリレート；
０〜５０重量％の液状ポリブタジエン；
０.５〜５重量％のＵＶ光開始剤；および
０.５〜５重量％の熱開始剤
を含む組成物。
【請求項２】
(メタ)アクリルオキシ基またはビニル基を有する光硬化性オリゴマーまたはポリマーが、０より大かつ３以下の(メタ)アクリルオキシ基またはビニル基の平均官能度を有し；
該オリゴマーまたはポリマーが、約３００〜５００００ダルトン、好ましくは１０００〜３５０００ダルトンの数平均分子量を有し、そのガラス転移温度Ｔｇが好ましくは-１００℃〜２０℃であることを特徴とする請求項１に記載の組成物。
【請求項３】
光学透明デュアル硬化接着剤組成物であって、該接着剤組成物の全重量に基づいて：
４０〜９０重量％の、(メタ)アクリルオキシ基を有するウレタンオリゴマー；
５〜５５重量％の(メタ)アクリレート；
０.５〜５重量％のＵＶ光開始剤；および
０.５〜５重量％の熱開始剤
を含む組成物。
【請求項４】
(メタ)アクリルオキシ基を有するウレタンオリゴマーが、０より大かつ３以下、好ましくは０.５〜２.５の平均官能度を有し、そのガラス転移温度Ｔｇが-８０℃〜０℃、好ましくは-６０℃〜０℃であり、２５℃の温度におけるそのブルックフィールド粘度が、好ましくは１０００ｃｐｓ〜１９００００ｃｐｓ、より好ましくは２０００ｃｐｓ〜１５００００ｃｐｓであることを特徴とする請求項３に記載の組成物。
【請求項５】
接着剤組成物の全重量に基づいて、５０〜８０重量％、好ましくは６０〜７０重量％の、(メタ)アクリルオキシ基を有するウレタンオリゴマー；１０〜５０重量％、好ましくは２０〜４０重量％の(メタ)アクリレート；１〜４重量％、好ましくは２〜３重量％のＵＶ光開始剤；１〜４重量％、好ましくは２〜３重量％の熱開始剤を含んで成ることを特徴とする請求項３または４に記載の組成物。
【請求項６】
(メタ)アクリルオキシ基を有するウレタンオリゴマーが、１０００〜２５０００ダルトン、好ましくは１５００〜１００００ダルトンの数平均分子量を有することを特徴とする請求項３または４に記載の組成物。
【請求項７】
光学透明デュアル硬化接着剤組成物であって、該接着剤組成物の全重量に基づいて：
１０〜８０重量％の、(メタ)アクリルオキシ基またはビニル基を有するポリイソプレン；
１０〜５５重量％の(メタ)アクリレート；
０〜５０重量％の液状ポリブタジエン；
０.５〜５重量％のＵＶ光開始剤；および
０.５〜５重量％の熱開始剤
を含む組成物。
【請求項８】
(メタ)アクリルオキシ基またはビニル基を有するポリイソプレンが、０.５〜３の平均官能度、１００００〜５００００ダルトン、好ましくは１２０００〜４００００ダルトン、より好ましくは１５０００〜３５０００ダルトンの数平均分子量を有し；
液状ポリブタジエンが、好ましくは１０００〜３００００ダルトン、より好ましくは１５００〜２５０００ダルトン、さらに好ましくは２０００〜２００００ダルトン、特に好ましくは３０００〜１００００ダルトンの数平均分子量を有することを特徴とする請求項７に記載の組成物。
【請求項９】
接着剤組成物の全重量に基づいて、２０〜７０重量％、好ましくは３０〜６０重量％の、(メタ)アクリルオキシ基またはビニル基を有するポリイソプレン；１０〜４０重量％、好ましくは２０〜３５重量％の液状ポリブタジエン；２０〜４５重量％、好ましくは２５〜４０重量％の(メタ)アクリレート；１〜４重量％、好ましくは２〜３重量％のＵＶ光開始剤；および１〜４重量％、好ましくは２〜３重量％の熱開始剤を含んで成ることを特徴とする請求項７または８に記載の組成物。
【請求項１０】
ＵＶ光開始剤が、ベンゾフェノンおよび置換ベンゾフェノン、アセトフェノンおよび置換アセトフェノン、ベンゾインおよびそのアルキルエステル、ジエトキシアセトフェノン、ベンゾインメチルエーテル、ベンゾインエチルエーテル、ベンゾインイソプロピルエーテル、N-メチル-ジエタノールアミン-ベンゾフェノン、２-ヒドロキシ-メチル-１-フェニルプロパン-１-オン、２-ベンジル-２-(ジメチルアミノ)-１-[４-(４-モルホリニル)フェニル]-１-ブタノン、ジフェニル(２,４,６-トリメチルベンゾイル)ホスフィンオキシド、およびそれらの組合せから成る群から選択される請求項１〜８のいずれかに記載の組成物。
【請求項１１】
ＵＶ光開始剤が、２-ヒドロキシ-２-メチル-１-フェニル-プロパン-１-オン、ジフェニル(２,４,６-トリメチル-ベンゾイル)ホスフィンオキシド、およびそれらの組合せから選択される請求項１０に記載の組成物。
【請求項１２】
熱開始剤が、有機過酸化物であり、好ましくは、エステルペルオキシド、アルキルペルオキシド、およびそれらの組合せから成る群から選択され、特に、該有機過酸化物が、１,１-ビス(tert-ブチルペルオキシ)-３,３,５-トリメチルシクロヘキサン、tert-ブチルペルオキシベンゾエート、およびそれらの組合せから成る群から選択される請求項１〜１１のいずれかに記載の組成物。
【請求項１３】
(メタ)アクリレートが、アルキル(メタ)アクリレート、アルケニル(メタ)アクリレート、および複素環式(メタ)アクリレートから成る群から選択され；
該アルキル基が、好ましくは、１〜２０個の炭素原子を有する任意に置換されたアルキル基であり、該アルケニル基が、好ましくは、４〜２０個の炭素原子を有する任意に置換されたアルケニル基であり、該複素環式基が、好ましくは、４〜２０個の炭素原子を有する任意に置換された複素環式基であり、該ヘテロ原子が窒素または酸素原子から選択され；
該置換基が、好ましくは、１〜１０個の炭素原子を有するアルキル基、１〜１０個の炭素原子を有するアルコキシ基、６〜１０個の炭素原子を有するアリールオキシ基、４〜１０個の炭素原子を有するエポキシ基、および水酸基から成る群から選択される、請求項１〜１２のいずれかに記載の組成物。
【請求項１４】
(メタ)アクリレートが、メチル(メタ)アクリレート、エチル(メタ)アクリレート、ブチル(メタ)アクリレート、２-(２-エトキシエトキシ)エチルアクリレート、テトラヒドロフルフリル(メタ)アクリレート、ラウリルアクリレート、イソオクチルアクリレート、イソデシルアクリレート、２-フェノキシエチルアクリレート、２-エチルヘキシル(メタ)アクリレート、イソボルニル(メタ)アクリレート、ジシクロペンテニルオキシエチル(メタ)アクリレート、ジシクロペンタジエニル(メタ)アクリレート、２-ヒドロキシエチル(メタ)アクリレート、２-ヒドロキシプロピル(メタ)アクリレート、２-ヒドロキシブチル(メタ)アクリレート、カプロラクトンアクリレート、モルホリン(メタ)アクリレート、ヘキサンジオールジ(メタ)アクリレート、エチレングリコールジ(メタ)アクリレート、トリメチロールプロパントリ(メタ)アクリレート、ペンタエリトリトールテトラヒドロフラン(メタ)アクリレート、ヒドロキシルプロピル(メタ)アクリレート、エチレングリコールジシクロペンテニルエーテル(メタ)アクリレート、およびそれらの任意の組合せから成る群から選択される請求項１３に記載の組成物。
【請求項１５】
電子デバイスの、液晶ディスプレイのタッチスクリーンと基材とを接合するための、請求項１〜１４のいずれか一項に記載の接着剤組成物の使用であって、該基材が、好ましくは、ガラスおよびポリマー材料から成る群から選択され、該ポリマー材料が、好ましくは、ポリエスルフィルム、例えば、ポリエチレンテレフタレート(PET)フィルム、ポリカーボネートフィルム、およびポリアクリレートフィルム、例えばポリメチルメタクリレートフィルム、およびシクロオレフィンポリマーフィルムから成る群から選択される、使用。
【手続補正２】
【補正対象書類名】明細書
【補正対象項目名】０００１
【補正方法】変更
【補正の内容】
【０００１】
本発明は、光学透明デュアル硬化接着剤組成物、ならびに該デュアル硬化接着剤組成物の調製方法、およびその使用に関する。より詳細には、本発明は、ＵＶ硬化性および熱硬化性の両方である光学透明接着剤組成物に関する。例えば、それは、電子デバイスのタッチスクリーンと基材との接合に使用することができる。
【手続補正３】
【補正対象書類名】明細書
【補正対象項目名】０００４
【補正方法】変更
【補正の内容】
【０００４】
LCD製品のタッチスクリーン部品と基材との接着において、例えば、３M Innovative Properties Companyは、２０１０年３月２４日にＰＣＴ出願、国際公開第２０１０/１１１３１６号を提出している。国際公開第２０１０/１１１３１６号は、ディスプレイパネルを有する光学アセンブリを対象とし、該アセンブリにおいて、接着剤層または接着剤組成物をディスプレイパネルとして使用し、それによって、実質的に透明な基材にディスプレイパネルを接合させている。接着剤層は、多官能性(メタ)アクリレートオリゴマー、単官能性(メタ)アクリレートモノマーを含む反応性希釈剤、および可塑剤の反応生成物を含んで成り、それにおいて、接着剤層における反応生成物は、ＵＶ光開始剤を使用して重合を開始させることによって得られうる。
【手続補正４】
【補正対象書類名】明細書
【補正対象項目名】０００５
【補正方法】変更
【補正の内容】
【０００５】
しかし、従来のＵＶ硬化性接着剤を使用するいくつかの特定の適用分野において、いくつかの問題に遭遇しうる。例えば、液晶パネルと基材との間に影領域、即ち、光が透過または進入できない領域が存在することがあり、ＵＶ/可視光がこのような領域を透過できず、それにより、接着剤が完全に硬化できず、腐食、老化疲労または非接合縁部の剥離などの問題が生じうる。一般に、影領域は、例えば、インク被覆剤が存在する縁部領域などである。
【手続補正５】
【補正対象書類名】明細書
【補正対象項目名】００１３
【補正方法】変更
【補正の内容】
【００１３】
しかし、上記の全てのデュアル硬化接着剤は本発明の課題の解決に使用できず、即ち、タッチスクリーンと基材との間に影、即ち、光または光線が進入できない部分または領域が存在する場合、接着剤が完全に硬化できず、従って、腐食、老化疲労または非接合部の剥離などの問題を生じる。
【手続補正６】
【補正対象書類名】明細書
【補正対象項目名】００２１
【補正方法】変更
【補正の内容】
【００２１】
本発明の別の態様は、電子デバイスのタッチスクリーンと基材との接合のための、接着剤組成物の使用にも関する。
【手続補正７】
【補正対象書類名】明細書
【補正対象項目名】００７１
【補正方法】変更
【補正の内容】
【００７１】
「接合される基材」：本発明の接着剤組成物は、電子デバイスのタッチスクリーンと基材との接合に特に適している。電子デバイスの非限定的な例は、携帯電話、テレビ、パームPDA、ノートブック、テーブルPC、およびタッチスクリーンを有する他のデバイスである。タッチスクリーンは、当分野における任意のタイプのパネル、例えば、液晶ディスプレイパネル、プラズマディスプレイパネル、および有機エレクトロルミネセンスパネルなどであってよい。
【手続補正８】
【補正対象書類名】明細書
【補正対象項目名】００７２
【補正方法】変更
【補正の内容】
【００７２】
基材も当分野における任意のタイプであってよく、一般に、基材はガラスまたはポリマー材料を含む。有用なガラスは、ホウケイ酸ガラス、ソーダ石灰ガラス、およびディスプレイスクリーンに好適な任意の他のガラスを含むがそれらに限定されない。有用なポリマー材料は、下記を含む：ポリエスルフィルム、例えばポリエチレンテレフタレートPET、ポリカーボネートフィルムまたはポリアクリレートフィルム、例えばポリメチルメタクリレートフィルム、およびシクロオレフィンポリマーフィルム、例えばZeon Chemicals L. P.からのZEONOXおよびZEONOR。該基材は、好ましくは、ディスプレイスクリーンと同等の反射率、例えば約１.４〜約１.７を有する。基材の典型的な厚さは、約０.５〜約５ｍｍであってよい。
【手続補正９】
【補正対象書類名】明細書
【補正対象項目名】００７３
【補正方法】変更
【補正の内容】
【００７３】
「接着剤の製造」：本発明の接着剤組成物は、下記のように調製しうる：実質的に完全な暗条件下、従来の撹拌手段を有する混合容器に、所定の速度で、接着剤組成物の各成分を供給し、混合する。混合は一般に、周囲温度、または周囲温度より少し高いかまたは低い温度で行なわれる。混合は、均一に分散された成分を得るのに充分な時間続けなければならず、それによって接着剤組成物が得られる。そのようにして得た接着剤組成物を、その後のタッチスクリーンと基材との接合のために、暗環境で保存する。
【手続補正１０】
【補正対象書類名】明細書
【補正対象項目名】００７５
【補正方法】変更
【補正の内容】
【００７５】
「ＵＶ硬化」：本発明の接着剤組成物を用いてタッチスクリーンと基材とを接合した後、接合アセンブリを硬化させなければならない。接合アセンブリのＵＶ硬化に関して、例えば１００ｍＷ/ｃｍ２の照射電力を有する２００ｎｍ〜４００ｎｍの波長範囲のＵＶ源を採用しうる。特定の要求事項に応じて、照射は、数秒〜数十秒、例えば５〜３０秒、またはそれ以上にわたって行なうことができる。照射電力および時間は、製品の要求事項に応じて当業者によって容易に決めることができる。
【手続補正１１】
【補正対象書類名】明細書
【補正対象項目名】００８４
【補正方法】変更
【補正の内容】
【００８４】
接着剤被膜の厚さは、一般に、特定の要求事項に応じて、例えば約１００μｍに制御される。基材は、要求事項に応じて、例えば、ガラス板、アクリレート樹脂板またはポリエステル板を選択しうる。この試験において、ガラス基材試料の大きさは、一般に、長さ１００ｍｍ、幅１０ｍｍ、厚さ２ｍｍである。